(57)【特許請求の範囲】
【請求項１】
配達確認をおこなう配達票と、届け先に残される届け先票とを備える非接触ＩＣ帳票であって、
前記届け先票は、クーポン票及び／又はポイント票からなる交換票を備え、
前記交換票は、外部装置と非接触で情報の授受を行う非接触ＩＣ媒体の少なくともＩＣチップを備えること
を特徴とする非接触ＩＣ帳票。
【請求項２】
請求項１に記載の非接触ＩＣ帳票において、
該非接触ＩＣ帳票は、
帳票基材と、
前記帳票基材の裏面側に設けられる剥離印刷層と、
前記剥離印刷層の裏面側に設けられる擬似接着剤層と、
前記擬似接着剤層の裏面側に設けられ、前記擬似接着剤層側から順にタック基材、粘着剤層、剥離紙が積層されたタック紙と
を順次積層してなり、
前記配達票及び前記届け先票が平面上に配置される１パート形式の帳票であって、
前記交換票は、前記擬似接着剤層と前記剥離印刷層によって前記非接触ＩＣ帳票が貼付される配送物から剥離可能に形成されていること
を特徴とする非接触ＩＣ帳票。
【請求項３】
請求項１又は請求項２に記載の非接触ＩＣ帳票において、
前記届け先票は、さらに、前記交換票に連接され届け先を記入する貼付票を備え、
前記交換票は、前記貼付票から分離可能に形成されていること
を特徴とする非接触ＩＣ帳票。
【請求項４】
請求項１に記載の非接触ＩＣ帳票において、
該非接触ＩＣ帳票は、さらに、配送の拠点に残される中継控を備え、前記届け先票と、前記中継控と、前記配達票とを有する多重製袋型の帳票であって、
前記交換票は、切取予定線によって前記届け先票から分離可能に形成されていること
を特徴とする非接触ＩＣ帳票。
【発明の詳細な説明】
【０００１】
【発明の属する技術分野】
本発明は、非接触で外部と通信して、情報の記憶、処理を行う非接触型ＩＣ媒体を備えた非接触ＩＣ帳票に関するものである。
【０００２】
【従来の技術】
従来の帳票は、記入及びその複写による情報の他に、バーコードにより情報が管理されており、例えば、配送業務で使用される配送伝票は、このバーコードを読み取り、仕分け行程の自動化、配送物の管理等を行っていた。
しかし、バーコードを利用した従来の帳票では、情報を書き換えることが不可能であり、また、扱える情報量が少なかった。さらに、情報の読みとりは、光学的な読み取り装置により行っていたので、バーコードと読み取り装置とを近づける必要があり、配送物の向きを合わせるなどの作業が必要であった。
【０００３】
これらの問題点を解決する手法として、コイルを通じて電磁誘導によりデータ通信を行う非接触型の情報処理媒体（以下、非接触ＩＣ媒体）を帳票に使用することが試みられている。
非接触ＩＣ媒体は、ＪＩＳやＩＳＯ等の規格に合致した形状のクレジットカード型、同形状をやや薄くしたプリペイドカード型、中〜長距離での通信を目的とし樹脂によりパッケージしたタグ型等、交通システムのゲートアクセス管理やＦＡ管理に用いられている。
【０００４】
図７は、従来の帳票において使用される非接触ＩＣ媒体を示す図である。
図７（ａ）に示すように、非接触ＩＣ媒体１００は、少なくとも１つのコイル１０２とＩＣチップ１０１が接続されており、コイル１０２を通じて、図示しない外部の通信機器であるリーダ／ライタ（以下、Ｒ／Ｗ）との交流電磁波の送受信により、電力供給及び信号送受信等、Ｒ／Ｗとの通信を行っている。なお、コイル１０２は、巻線コイルに限らず、導電インキなどを印刷したアンテナであってもよい（ＷＯ９９／６５００２等）。
【０００５】
図７（ｂ）に示すように、非接触ＩＣ媒体１００−２は、ＩＣチップ１０１−２と、ＩＣチップ１０１−２に接続され、導電性のカーボンを含むインクで印刷された２つのアンテナ部１０２−２，１０３−２とを備えている。非接触ＩＣ媒体１００−２は、静電結合方式（容量プレートを対抗配置させ、静電誘導によって交信する方式）によって、２つのアンテナ部１０２−２，１０３−２との距離差により電位差を生じさせてＩＣチップ１０１−２を作動させ、アンテナ部１０２−２，１０３−２を通じて外部のＲ／Ｗとの通信を行うことができる。このような静電結合方式の非接触ＩＣ媒体１００−２は、例えば、モトローラ社の「ＢＩＳＴＡＴＩＸ」（商標名）を使用することができる。
【０００６】
【発明が解決しようとする課題】
しかし、前述した従来の非接触ＩＣ媒体１００，１００−２を使用した帳票は、ＩＣチップ１０１，１０１−２の価格が高いために、帳票の価格も高かった。
また、帳票は、使い捨てされるので、高価な従来の非接触ＩＣ媒体を使用した帳票は、現実に使用できる分野が限られていた。特に、配送伝票等の物流管理用途では、コストが高いために、採用することができなかった。
【０００７】
本発明の課題は、低価格で配送伝票等の物流管理に使用することができる非接触ＩＣ帳票を提供することである。
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、配達確認をおこなう配達票（１０Ａ；１０−２Ａ；１０−３Ａ）と、届け先に残される届け先票（１０Ｂ，１０Ｃ；１０−２Ｃ；１０−３Ｃ，１０−３Ｄ）とを備える非接触ＩＣ帳票であって、前記届け先票は、クーポン票（１０Ｂ；１０−３１Ｃ）及び／又はポイント票（１１１）からなる交換票（１０Ｂ；１０−３１Ｃ；１１１）を備え、前記交換票は、外部装置と非接触で情報の授受を行う非接触ＩＣ媒体（１００；１００−２；１００−３）の少なくともＩＣチップ（１０１；１０１−２；１０１−３）を備えることを特徴とする非接触ＩＣ帳票（１０；１０−２；１０−３）である。
【００１０】
請求項２の発明は、請求項１に記載の非接触ＩＣ帳票において、該非接触ＩＣ帳票は、帳票基材（１１−２）と、前記帳票基材の裏面側に設けられる剥離印刷層（１４−２）と、前記剥離印刷層の裏面側に設けられる擬似接着剤層（１５）と、前記擬似接着剤層の裏面側に設けられ、前記擬似接着剤層側から順にタック基材（１６１）、粘着剤層（１６２）、剥離紙（１６３）が積層されたタック紙（１６）とを順次積層してなり、前記配達票及び前記届け先票が平面上に配置される１パート形式の帳票であって、前記交換票は、前記擬似接着剤層と前記剥離印刷層によって前記非接触ＩＣ帳票が貼付される配送物から剥離可能に形成されていることを特徴とする非接触ＩＣ帳票（１０−２）である。
【００１２】
請求項３の発明は、請求項１又は請求項２に記載の非接触ＩＣ帳票において、前記届け先票は、さらに、前記交換票に連接され届け先を記入する貼付票（１０Ｃ；１０−２Ｃ；１０−３Ｄ）を備え、前記交換票は、前記貼付票から分離可能に形成されていることを特徴とする非接触ＩＣ帳票（１０；１０−２；１０−３）である。
【００１３】
請求項４の発明は、請求項１に記載の非接触ＩＣ帳票において、該非接触ＩＣ帳票は、さらに、配送の拠点に残される中継控（１０−３Ｂ）を備え、前記届け先票と、前記中継控と、前記配達票とを有する多重製袋型の帳票であって、前記交換票は、切取予定線（Ｌ３）によって前記届け先票から分離可能に形成されていることを特徴とする非接触ＩＣ帳票（１０−３）である。
【００１５】
【発明の実施の形態】
以下、図面等を参照しながら、本発明の実施の形態について、更に詳しく説明する。
（第１実施形態）
図１は、本発明による非接触ＩＣ帳票の第１実施形態を示す模式図である。
第１実施形態の非接触ＩＣ帳票１０は、図１（ａ）に示すように、配送物宅配業務で使用する１パート配送伝票を例にしたものであり、右側から順に、配達票１０Ａと、クーポン券１０Ｂと、貼付票１０Ｃ等とが平面上に連接配置されている。
配達票１０Ａは、配達先で受領印をもらって運送会社の配達員が持ち帰り、配達確認をするための帳票である。
クーポン券１０Ｂは、取次店に持ち込む又は郵送することにより、その対価を受けることができる引換券である［後述する図２（ｃ）参照］。
貼付票１０Ｃは、届け先が記載されている荷札である。
クーポン券１０Ｂ及び貼付票１０Ｃは、届け先に配送物とともに残される。
【００１６】
この非接触ＩＣ帳票１０は、図１（ｂ）に示すように、帳票基材１１の裏面に、第１疑似接着剤層１２、ＲＦ−ＩＤ１００Ａ、貼り合わせ基材１３、剥離印刷層（剥離層）１４、第２疑似接着剤層１５、タック紙１６を順次積層して設けられたものである。タック紙１６は、タック基材１６１と粘着剤層１６２とが積層され、粘着剤層１６２を保護するための剥離紙１６３を備えている。
【００１７】
帳票基材１１は、配送必要事項を表示するためのものであり、シート状、連続状又はロール状のものからなり、一般用紙、上質紙、感圧紙や感熱紙等の機能性用紙、複写用紙、クラフト紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート（ＰＥＴ）、発泡ＰＥＴ、延伸ポリスチレン、ポリ塩化ビニル等の樹脂フィルムであってもよい。帳票基材１１の厚さは、通常、２０〜２００μｍ程度が好ましい。
【００１８】
第１疑似接着剤層１２は、帳票基材１１の裏面に形成され、帳票基材１１、ＲＦ−ＩＤ１００Ａ及び貼り合わせ基材１３を疑似接着させ、一定の剥離力により剥離可能な層である。
ＲＦ−ＩＤ１００Ａは、図７（ａ）で説明した非接触ＩＣ媒体１００等を構成するチップ付きアンテナシートをＰＥＴフィルム等でラミネートしたものである。
貼り合わせ基材１３は、第１疑似接着剤層１２によって帳票基材１１と疑似接着されることにより、ＲＦ−ＩＤ１００Ａがクーポン券１０Ｂに配置されるように保持する。
【００１９】
剥離印刷層１４は、帳票基材１１の剥離される帳票部（配達票１０Ａ、クーポン券１０Ｂ）を、配送時又はクーポン券１０Ｂ引き換え時に剥離可能とする層である。この剥離印刷層１４は、貼り合わせ基材１３の裏面の一部（剥離される帳票部）に、シリコーンアクリレートを主成分とするＵＶインキによって、パターン状にオフセット印刷、活版印刷等によって、厚さ、１．５〜１５μｍ程度に印刷されている。
【００２０】
第２疑似接着剤層１５は、貼り合わせ基材１３及び剥離印刷層１４の裏面に形成され、貼り合わせ基材１３，剥離印刷層１４及びタック紙１６を疑似接着させ、一定の剥離力により剥離可能な層である。剥離印刷層１４及びタック紙１６間における第２疑似接着剤層１５の接着力は、帳票基材１１及び貼り合わせ基材１３間の第１疑似接着剤層１２の接着力よりも小さく設定されている。第２疑似接着剤層１５は、第１疑似接着剤層１２と同様のものを使用することができる。
【００２１】
タック紙１６は、この帳票１０を配送物に貼付するための層である。タック基材１６１は、帳票基材１１と同様のものを使用することができる。粘着剤層１６２は、アクリル系接着剤、天然ゴム系接着剤、合成ゴム系接着剤、シリコーンゴム系接着剤などが好適に用いられる。粘着剤層１４２の塗布量・塗布厚は、特に限定されないが、好ましくは、塗布量は０．１〜５０ｇ／ｍ2 であり、塗布厚は０．１〜５０μｍである。配送物などの被着体に対する粘着剤層１６２の接着力は、第２疑似接着剤層１５の接着力よりも大きい必要があり、荷物等の被着体に応じて、適宜、調整するとよい。
【００２２】
剥離紙１６３は、粘着剤層１６２の下に配置されている用紙であり、使用前に、粘着剤層１６２を保護する層である。剥離紙１６３は、紙、織物、プラスチックフィルムなどから形成されており、この上面、すなわち、粘着剤層１６２の側の面には、シリコーン系離型剤などにより剥離処理がなされている。剥離紙１６３の厚さは、特に限定はされないが、通常２０〜２００μｍ、好ましくは４０〜１００μｍ程度である。
【００２３】
この非接触ＩＣ帳票１０は、帳票基材１１、第１疑似接着剤層１２及び貼り合わせ基材１３には、配達票１０Ａとクーポン券１０Ｂとの境界線を剥離予定線Ｌ１として、ハーフカットｈｃが施されている。また、帳票基材１１、第１疑似接着剤層１２及び貼り合わせ基材１３には、クーポン券１０Ｂと貼付票１０Ｃとの境界線を切取予定線Ｌ２として、ハーフミシンｈｍが施されている。
【００２４】
図２は、第１実施形態に係る非接触ＩＣ帳票１０の使用方法を示す説明図である。
非接触ＩＣ帳票１０は、配達票１０Ａや貼付票１０Ｃなどにプリンタによって必要事項を印字した後に、剥離紙１６３を剥して、配送物３０に貼付する［図２（ａ）］。
運送会社の配達員は、配達を行なう際に、配達票１０Ａを剥離予定線Ｌ１に沿って、剥離印刷層１４及び第２疑似接着剤層１５の間で引き剥がし、配達先で受領印をもらい、持ち帰って保管する［図２（ｂ）］。
【００２５】
配送物３０を受け取った受取人は、クーポン券１０Ｂを切取予定線Ｌ２に沿って、剥離印刷層１４及び第２疑似接着剤層１５の間で、貼付票１０Ｃから切り離し、クーポン券１０Ｂの引き換え及び配送物の受付等を行う取次店へ持ち込む。受取人は、クーポン券１０Ｂをその枚数に応じて、配送料金の割引、取次店での買い物におけるキャッシュバック等のサービスと引き換えることができる［図２（ｃ）］。取次店は、運送会社及び受取人の間でクーポン券１０Ｂの回収を取り次ぐ。取次店は、例えば、配送サービスの申込受付、商品の販売等を行うコンビニエンスストア等の小売店等である。
持ち込まれたクーポン券１０Ｂは、取次店で保管され、配送物の集荷時に運送会社へ運ばれる［図２（ｄ）］。クーポン券１０Ｂは、運送会社で、帳票基材１１及び貼り合わせ基材１３を、第１疑似接着剤層１２で剥離することによって、ＲＦ−ＩＤ１００Ａを容易に取り出すことができ［図２（ｅ）］、リサイクルが可能となる。
【００２６】
このように、本実施形態によれば、配送伝票１０の一部であり、配送物３０に貼付されている貼付票１０Ｃと切り取り予定線Ｌ２で連接するクーポン券１０Ｂに、ＲＦ−ＩＤ１００Ａを設けておくことによって、非接触で複数の配送物３０を同時に読み取ることができるので、運送会社は、作業の効率化が行なえ、配送時に配達票１０Ａを紛失した場合でも、ＲＦ−ＩＤ１００Ａを紛失することを防止することが可能となった。
また、ＲＦ−ＩＤ１００Ａの回収が容易に行なえる形態となっているので、運送会社は、ＲＦ−ＩＤ１００Ａのリサイクルが可能となり、物流管理のコストダウンを図ることができる。
さらに、例えば、クーポン券を配送料金の割引に用いることにより、リピーターの増加を図ることができる。
さらにまた、この実施形態を適用した配送伝票１０は、１パート形式となっているため、連続プリンタ（ＮＩＰ、サーマルプリンタ）や、カット紙プリンタ（レーザプリンタやインクジェットプリンタ等）での印字対応が可能であり、必要に応じて、配達票１０Ａ等を剥すこともできる。
【００２７】
一方、取次店は、クーポン券１０Ｂを回収することによって、集客力の増大を図ることができる。
【００２８】
（第２実施形態）
図３は、本発明による非接触ＩＣ帳票の第２実施形態を示す模式図である。
なお、前述した実施形態と同様な機能を果たす部分には、共通の符号を付して、重複する説明を適宜省略する。
第２実施形態における非接触ＩＣ帳票１０−２は、図３（ａ）に示すように、配達票１０Ａと、貼付票１０−２Ｃ等とが平面上に連接配置されている。
この非接触ＩＣ帳票１０−２は、帳票基材１１−２の裏面に、ＲＦ−ＩＤ１００−２Ａ、剥離印刷層（剥離層）１４−２、疑似接着剤層１５、タック紙１６を順次積層して設けられている。
【００２９】
帳票基材１１−２は、貼付票１０−２Ｃの一部にポイントシール１１１を表示している。
剥離印刷層１４−２は、ポイントシール１１１及び配達票１０Ａの帳票基材１１−２の裏面に印刷されている。
ＲＦ−ＩＤ１００−２Ａは、図７（ｂ）で説明した非接触ＩＣ媒体１００−２を印刷、接着等により、貼付票１０−２Ｃの帳票基材１１−２の裏面に形成したものである。非接触ＩＣ媒体１００−２のＩＣチップ１０１−２は、ポイントシール１１１の裏面に配置、接着され、その接着力は、剥離印刷層１４−２及び疑似接着剤層１５の接着力よりも大きく設定されている。
【００３０】
帳票基材１１−２には、配達票１０Ａ及び貼付票１０−２Ｃの境界線を剥離予定線Ｌ１としてハーフカットｈｃが施され、剥離予定線Ｌ１及び切取予定線Ｌ２がポイントシール１１１を囲むように３方向にハーフミシンｈｍが施されている。
【００３１】
図４は、第２実施形態に係る非接触ＩＣ帳票１０−２の使用方法を説明する図である。
図４（ｃ）に示すように、配送物３０を受け取った受取人は、ポイントシール１１１を切取予定線Ｌ２に沿って、剥離印刷層１４−２及び疑似接着剤層１５の間で、貼付票１０−２Ｃから切り離し、ポイントシール貼付用カード４０へ貼付する。ポイントシール１１１が一定枚数貯まった場合には、受取人は、このポイントシール貼付用カード４０を取次店へ持ち込み、貼付されているポイントシール１１１の枚数に応じ、配送料金の割引、取次店での買い物におけるキャッシュバック等と引き換えることができる。
【００３２】
持ち込まれたポイントシール貼付用カード４０は、取次店で保管され、配送物の集荷時に運送会社へ運ばれる［図４（ｄ）］。運送会社は、ポイントシール貼付用カード４０からポイントシール１１１を剥がし、このポイントシール１１１からＩＣチップ１０１−２を剥離することによって［図４（ｅ）］、リサイクルを行う。
【００３３】
このように、本実施形態によれば、第１実施形態の効果に加え、運送会社は、まとめてＩＣチップ１０１−２を回収することによって、リサイクルにかかるコストの低減を図ることが可能となった。
【００３４】
（第３実施形態）
図５は、本発明による非接触ＩＣ帳票の第３実施形態を示す模式図である。
第３実施形態における非接触ＩＣ帳票１０−３は、図５（ａ）に示すように、複数の控えが袋に詰められた構造を有する多重製袋型配送伝票であり、タック紙１６に配達票１０−３Ａ、中継控１０−３Ｂ、お届け先控１０−３Ｃ及び貼付票１０−３Ｄの順にその正面左縁が糊１７−１で貼付されている。貼付票１０−３Ｄの上下縁は、他の控えを上下から挟み、保持するため、タック紙１６に糊１７−２で貼付されている。
【００３５】
中継控１０−３Ｂは、配送センター等、配送の拠点で非接触ＩＣ帳票１０−３から剥がされ、保管される控えである。
お届け先控１０−３Ｃは、裏面にＲＦ−ＩＤ１００Ａが接着され、その部分を分離可能なように、切取予定線Ｌ３にミシンが施されている。このＲＦ−ＩＤ１００Ａが接着された部分は、この切取予定線Ｌ３で切り離すことによりクーポン券１０−３１Ｃとなり、第１実施形態のクーポン券１０Ｂと同様の役割を果たす。
配達票１０−３Ａ、中継控１０−３Ｂ、お届け先控１０−３Ｃ及び貼付票１０−３Ｄは、糊１７−１を避けた左縁で個々に切り離しができるように、切取予定線Ｌ４にミシンが施されている。
【００３６】
このように、本実施形態によれば、多重製袋型配送伝票である非接触ＩＣ帳票１０−３においても、第１実施形態と同様の効果を得ることが可能となった。
【００３７】
（変形形態）
以上説明した実施形態に限定されることなく、種々の変形や変更が可能であって、それらも本発明の均等の範囲内である。
例えば、図６（ａ）に示すように、第１実施形態において、非接触ＩＣ帳票１０は、ＲＦ−ＩＤ１００Ａの代わりにＲＦ−ＩＤ１００−２Ａを備えていてもよい。
【００３８】
また、図６（ｂ）に示すように、第２実施形態において、非接触ＩＣ帳票１０−２は、ＲＦ−ＩＤ１００−２Ａの代わりに、共振回路を利用した非接触ＩＣ媒体１００−３が印刷、接着等により形成されたＲＦ−ＩＤ１００−３Ａを備えていてもよい。
非接触ＩＣ媒体１００−３は、内部に外部通信用コイル１０２−３及びコンデンサ１０４により構成される共振回路と、ＩＣチップ１０１−３及び内部通信用コイル１０３−３により構成されるＩＣモジュールを備えている。非接触ＩＣ媒体１００−３は、Ｒ／Ｗより送出される交流電磁波を共振回路により効率よく受信し、共振回路とＩＣモジュールとの間において電磁結合により電力送信及び信号送受信を行う。ＩＣモジュールは、ポイントシール１１１の裏面に接着され、共振回路は、Ｒ／Ｗとの通信品質を考慮し、帳票基材１１−２の裏面に貼付票１０−２Ｃの枠内で配置されている。
共振回路を利用した非接触ＩＣ媒体１００−３を用いることで、第２実施形態の効果に加え、Ｒ／Ｗとの通信品質を改善し、通信距離を伸ばすことが可能となる。また、回収したポイントシール１１１をそのまま新規の非接触ＩＣ帳票１０−２に貼り付け、新規の情報を書き込み、取次店で再利用することにより、一層配送コストの削減を図ることが可能である。
【００３９】
第３実施形態において、非接触ＩＣ帳票１０−３は、配送物の申込を行った申込者が保管するお客様控えを備えていてもよい。また、非接触ＩＣ帳票１０−３は、届け先控１０−３Ｃの代わりに、貼付票１０−３Ｄの裏面にＲＦ−ＩＤ１００Ａを備え、その部分が切り取り可能であってもよい。
また、非接触ＩＣ帳票１０−３は、第２実施形態と同様に、ＲＦ−ＩＤ１００Ｂを備え、ポイントシールによって、ＩＣチップ１０１−２を回収してもよい。
【００４０】
【発明の効果】
以上詳しく説明したように、請求項１の発明によれば、届け先票に備えられ、クーポン票及び／又はポイント票からなる交換票に非接触ＩＣ媒体の少なくともＩＣチップを備えるため、非接触で複数の配送物を同時に読み取ることにより、作業の効率化を図ることができ、また、配達票を紛失した場合でも非接触ＩＣ媒体の紛失を防止することが可能となった。
【００４２】
請求項２の発明によれば、非接触ＩＣ帳票は、帳票基材と、帳票基材の裏面側に設けられる剥離印刷層と、剥離印刷層の裏面側に設けられる擬似接着剤層と、擬似接着剤層の裏面側に設けられ、擬似接着剤層側から順にタック基材、粘着剤層、剥離紙が積層されたタック紙とを順次積層してなり、配達票及び届け先票が平面上に配置される１パート形式の帳票であって、交換票は、疑似接着剤層と剥離印刷層によって非接触ＩＣ帳票が貼付される配送物から剥離可能に形成されるため、請求項１の発明の効果に加え、様々な印字対応が可能となり、また、受取人が交換票を容易に配送物から剥離することが可能となった。
【００４４】
請求項３の発明によれば、届け先票は、さらに、交換票に連接され届け先を記入する貼付票を備え、交換票は、貼付票から分離可能に形成されているため、請求項１又は請求項２の発明の効果に加え、届け先に残される貼付票から交換票を分離することが可能となった。
【００４５】
請求項４の発明によれば、非接触ＩＣ帳票は、さらに、配送の拠点に残される中継控を備え、届け先票と、中継控と、配達票とを有する多重製袋型の帳票であって、交換票は、切取予定線によって届け先票から分離可能に形成されているため、請求項１の発明の効果に加え、多重製袋型配送伝票であっても、受取人が交換票を容易に届け先票から分離することが可能となった。
【図面の簡単な説明】
【図１】本発明による非接触ＩＣ帳票の第１実施形態を示す模式図である。
【図２】第１実施形態に係る非接触ＩＣ帳票の使用方法を示す説明図である。
【図３】本発明による非接触ＩＣ帳票の第２実施形態を示す模式図である。
【図４】第２実施形態に係る非接触ＩＣ帳票の使用方法を説明する図である。
【図５】本発明による非接触ＩＣ帳票の第３実施形態を示す模式図である。
【図６】本発明による非接触ＩＣ帳票の変形形態を示す模式図である。
【図７】非接触ＩＣ媒体を説明する図である。
【符号の説明】
１０，１０−２，１０−３  非接触ＩＣ帳票
１０Ａ，１０−３Ａ  配達票
１０Ｂ，１０−３１Ｃ  クーポン券
１０−３Ｃ  お届け先控
１０Ｃ，１０−２Ｃ，１０−３Ｄ  貼付票
１００，１００−２，１００−３  非接触ＩＣ媒体
１００Ａ，１００−２Ａ，１００−３Ａ  ＲＦ−ＩＤ
１０１，１０１−２，１０１−３  ＩＣチップ
１１  帳票基材
１１１  ポイントシール
１２，１５  疑似接着剤層
１４，１４−２  剥離印刷層
１６  タック紙
Ｌ１  剥離予定線
Ｌ２，Ｌ３，Ｌ４  切取予定線
【図１】
0004729805.tif 000002
【図２】
0004729805.tif 000003
【図３】
0004729805.tif 000004
【図４】
0004729805.tif 000005
【図５】
0004729805.tif 000006
【図６】
0004729805.tif 000007
【図７】
0004729805.tif 000008